(57)【要約】      （修正有）【課題】様々な抵抗に打ち勝つことが出来、磁力の反発力を利用することで自らの力のみで永久に回転し続ける回転体を作ることが果たして可能なのか。また発電量は十分に確保出来るのかどうか。【解決手段】回転する回転盤を中空に浮かせることで摩擦係数を極力抑えてより少ない力で回転する方式を採用した。それが保持金具の面に永久磁石を取り付け対照となる主軸の端面にも反発する面の永久磁石を装着し反発力で地球が宇宙空間で浮かんでいる常態を再現する。回転を妨げる抵抗を減らした上で少ない力の推進力で主軸そのものを浮かせた状態でリニアの方式を採用することで回転体の継続した回転運動を確保出来る。その回転を発電装置に伝達する際に出力を増幅する歯車の組み合わせで倍力に連動して発電装置を回すことで十分な電力の発生を維持することが可能になる。【選択図】図１
2014155431.tif 000002
【特許請求の範囲】
【請求項１】
回転体の摩擦係数を極限まで低減する為、フライホイール等を固定した主軸を受ける保持金具を設け、その中心に強力な永久磁石を組み込む。そして主軸の底の部分にも強力な永久磁石を設置する。反対側の主軸の垂直面を維持する最上部にも保持金具を設置して上下に点で主軸を保持拘束する。その保持金具に使用する永久磁石同士は反発しあう面同士を向かい合わせる事で磁力の影響にて接触する事無く空中に浮いている主軸を保持することが可能になる回転装置による発電装置
【請求項２】
回転体の回転力を継続して発生させる為に永久磁石を反発し合わせて推進力に反映させる。その反発力を効率よく発生させる為に永久磁石同士を反発面同士合い向かい合わせて配置する。その際回転体に設置、固定する永久磁石は反発する力を上手く円回転に連動させる為に磁場の逃げ道を作る為に斜めに配置する。その斜めに配置された回転円盤上の永久磁石と相対する永久磁石はスイッチのオンオフを実現する為に上下のピストン運動を起こす。そのピストン運動を強制的に作動する力として回転体に接続されているフライホイールに取り付けられた波型のリングの最上部に永久磁石の同一面を固定する。ピストン運動を行うシャフトの最下部にも反発する面を向かい合わせて固定することで回転円盤が回転する際にリング状のピストンシャフトを持ち上げる。磁石が反応する部位を通過すると磁力が解除される為持ち上がったシャフトは自重で降下する。その上下運動するシャフトが回転する回転盤にリニア方式で磁力の影響を与え、推進力となる燃料を必要としない回転装置による発電装置
【発明の詳細な説明】
【技術分野】
【０００１】本発明は永久磁石の同じＮ又はＳ極同士の反発力を利用し、断続的に反発し合う方法を用いて回転に必要なエネルギーを得ることで、燃料を必要としない回転装置を動かす技術を確立する。その回転体は自転し続けるエネルギー得ることが可能になり、その回転し続ける力を利用して発電装置を動かす。燃料等を投入する事無く、半永久的に自力で運転が可能な回転体の力による発電装置の技術
【背景技術】
【０００２】福島第一原子力発電所の崩壊事故以来自然再生方エネルギーが俄然注目されているが、様々な問題をそれぞれが抱えていて一長一短である。太陽光発電の弱点は日照不足な地域では発電能力の不足が発生する。特に冬場では降雪のある東北地方や日本海側等では発電が全く出来ない期間がある。夜間も発電量は無くなる。【０００３】風力発電での問題点は、自然が相手である以上風の吹かない日は全く発電をしない。
発電を効果的にする為には年中風が吹くような地域が限定されてしまう。【０００４】化石燃料等を使う火力発電に関して地球温暖化に繋がるためにあまり積極的に火力発電を推進し続けることは問題が有る。まして原子力発電は様々な問題点が多く、将来的には原子力発電の廃止気運が高まっている。
【発明の概要】
【発明が解決しようとする課題】
【０００５】本来なら発電する手段として内燃機や蒸気タービンをもちいて発電装置を駆動するのであるが、発電装置に連動する回転体を保持する機構に関してはベアリング等を使用して回転に関しての摩擦係数を減らしてはいるが、摩擦係数はゼロにはならない。そこでは回転エネルギーをロスしているのである。【０００６】回転するエネルギーを何の燃料も使わず回転させる推進力を得るには磁力同士の反発エネルギーを継続して与え続ける必要がある。その回転盤は主軸に固定されている為主軸が止まる事無く磁力の反発を繰り返し行う必要が有る。しかし、磁石の特性からして反発しあう極同士近づいたとしても磁石が交差する瞬間反発から吸着側の極と同調してしまい交差する瞬間ブレーキになって推進力は得られなくなる。
【課題を解決するための手段】
【０００７】本発明品はこの回転体を保持するときにも摩擦係数を極限まで減らす事を目的に回転する主軸を縦方向に設置して回転体を受ける支える保持金具をと主軸双方に永久磁石を取り付け同じ極同士の反発を利用して空中に浮いた状態で保持する。その際お互いは接触しない状態を保持しながら摩擦係数をほぼゼロまで低減することで回転に与えるエネルギーのロスを減らすことが必要となる。【０００８】磁石同士の反発力を継続して回転するエネルギーに転換するには同じ極同士の反発力を常に発生させる必要がある。その為に回転盤に接地してある永久磁石を全て同じ方向で拘束接地した上で回転盤に非接触式の反発側の永久磁石を近づけて反発力が発生すると同時に解除して吸着側の磁力の影響を回避する為常に回転盤の永久磁石に連動させる反発側の磁石を上下運動することで、いわばスイッチのオンオフが断続・連続的に行うリニア装置を設置する。
【発明の効果】
【０００９】本発明品は主軸にフライホイールから磁力の反発をエネルギーに変える回転盤を同一直線状に配置することで主軸を支える上下の保持金具が一直線上に接地することが可能になる。そのため保持金具の内部に設置した永久磁石と主軸に接地した永久磁石同士が反発試合お互いの接触を防ぐことが可能になり回転に与えるエネルギーのロスを抑えることから、回転で得られるエネルギーを効率よく発電装置に伝達が可能になる。主軸から発電装置にエネルギーを伝達する際も非接触型の磁力歯車を用いて接続し駆動する部位にて発生するエネルギーのロスも抑えることが可能になる。【００１０】回転盤を永久磁石の磁力の反発力だけで回転し続ける事で自転を続けることが可能になるため、化石燃料や原子力、太陽光、風力、水力等のエネルギーを必要としない。そのため燃料の補給や自然再生エネルギーの投入を必要としない為設置場所等の制限が不要となる。
【図面の簡単な説明】
【００１１】
【図１】本発明の実施形態を示す全体図
【実施例】
【００１２】図面１の符号をもとに説明する。本発明品本体の底の部分に▲３▼フライホイール及び▲５▼回転盤等を固定した▲２▼主軸を受ける▲１▼保持金具を設け、その中心に強力な永久磁石を組み込む。そして▲２▼主軸の底の部分にも強力な永久磁石を設置する。反対側の▲２▼主軸の垂直面を維持する最上部にも▲１▼保持金具を設置して上下に点で▲２▼主軸を保持拘束する。その保持金具に使用する永久磁石同士は反発しあう面同士を向かい合わせる事で磁力の影響にて接触する事無く空中に浮いている主軸を保持することが可能になる。その主軸に▲３▼フライホイール、▲５▼回転盤等の主要部品を同一直線上に配置することで回転体の摩擦を極限まで低下させる。次に回転を始めるに当り、フライホールにも▲６▼永久磁石を等間隔で同じ極の方向性を守って配置し固定する。その▲３▼フライホイールに回転を与えるため別の▲１２▼回転盤に▲３▼フライホイール側と反発しあう極面の永久磁石を配置固定し▲１３▼モーターの力で回転盤を回すことにより徐々に▲３▼フライホイールは回転し始める。その▲１２▼モーターを起動させる電力は予め太陽光発電装置を設置してその電力を▲１１▼蓄電池に蓄えその電力で起動をさせる。ある程度▲３▼フライホイールが回転したら重量を持っているため遠心力が働き中心に接続されている▲２▼主軸を強制的に回転させることとなる。その主軸に接続されている▲６▼永久磁石を配置した▲５▼回転盤は▲３▼フライホイールの回転エネルギーにつられて同時に回転をするのである。その際▲３▼フライホイールに接地してある波型の磁石を配置してある▲４▼リングが回転することから、反発力を発生させ推進力を与える▲７▼ピストンシャフトの下部に設置してある永久磁石の反発面同士で反応する為の▲７▼ピストンシャフトが上下運動して回転盤に設置されている永久磁石と反応して反発力が発生し、円回転の推進力となる。その円回転の力を▲８▼の非接触式の歯車に伝導させて▲９▼の倍力ギヤにて増幅された力を▲１０▼の発電装置に伝えて発電を行う。その発電された電力は一部▲１１▼の蓄電池に蓄えられ回転体の回転力が衰えた場合バックアップの推進力へと回生エネルギーに回される。▲１２▼回転盤と▲１３▼モーターを使うバックアップ装置はあくまで回転エネルギーが不足した自転での起動となり、平時はこの装置は稼動しない。あくまでこの回生エネルギーに必要な消費電力は本発明品の発電システムで発電する電力を上回ることは無い。
【産業上の利用可能性】
【００１３】本発明品はエンジン等の発熱する装置を有しない為小型のパッケージに発電装置を収納できるので各家庭及び各工場等の電源が必要とされる場所等を選ばず発電が可能となる。又燃料費がかからない為発電コストが抑えられるため一般的な家庭用発電機として消費した電力の余剰分を電力会社に売電することが可能である。【００１４】本発明品は必要とされる家庭や工場、作業現場等の一番近いところで接地することが可能である為送電網に乗せることが無い。その送電の際に発生する送電ロスがなくなるため効率よく電力を発電することが可能になる。【００１５】本発明品は燃料供給の不便若しくは不可能な場所でも発電が可能な発電装置である為山岳地や離島等の人里はなれた場所でも容易に発電が可能となる。又燃料の備蓄がいらない為災害時非常用発電装置としても使用が可能である
【符号の説明】
【００１６】▲１▼主軸保持金具    ▲２▼主軸    ▲３▼フライホイール    ▲４▼ピストンシャフト稼働用リング    ▲５▼回転板    ▲６▼永久磁石    ▲７▼ピストンシャフト    ▲８▼非接触型歯車    ▲９▼倍力ギヤー    ▲１０▼発電装置    ▲１１▼蓄電池    ▲１２▼非接触型フライホイール駆動用円盤    ▲１３▼モーター
【図１】
2014155431.tif 000003